(57)【要約】      （修正有）【課題】放射線防護衣と併用して着用することにより、放射線防護衣を長時間着用した場合にも汗の付着によるべとつき感や悪臭の発生を抑制し、着用者の不快感を緩和させることのできる放射線防護衣用アンダーウエア、及び放射線防護用着用体を提供する。【解決手段】放射線遮蔽能を有する放射線遮蔽材により形成された放射線防護衣の下に着用可能な形態を有し、単独、又は前記放射線防護衣との組み合わせからなる放射線防護用の着用体であって、吸汗速乾性を有する素材により形成する。好ましくは前記放射線遮蔽材には湿度移行性が８００ｇ／ｍ２・ｈｒ以上であり、放熱性が１０Ｗ／ｍ２・℃以上であり、抗菌性を有する素材を用いるのがよい。【選択図】図５
0003144579.tif 000002
【実用新案登録請求の範囲】
【請求項１】
放射線遮蔽能を有する放射線遮蔽材により形成された放射線防護衣の下に着用が可能な形態を有する着用体であって、該着用体が吸汗速乾性を有する素材により形成されていることを特徴とする放射線防護衣用アンダーウエア。
【請求項２】
前記素材が湿度移行性、及び放熱性の高い素材からなることを特徴とする請求項１に記載の放射線防護衣用アンダーウエア。
【請求項３】
前記素材が抗菌性を有することを特徴とする請求項１または２に記載の放射線防護衣用アンダーウエア。
【請求項４】
前記素材が少なくとも熱伝導性の高い繊維及び抗菌性を有する繊維を含む複合撚糸により編んだ編布からなることを特徴とする請求項１〜３のいずれか１項に記載の放射線防護衣用アンダーウエア。
【請求項５】
前記素材は湿度移行性が８００ｇ／ｍ２・ｈｒ以上であり、放熱性が１０Ｗ／ｍ２・℃以上であることを特徴とする請求項１〜４のいずれか１項に記載の放射線防護衣用アンダーウエア。
【請求項６】
前記着用体の外表面の少なくとも１部分に、前記放射線防護衣の内側面との脱着が可能な係止手段が設けられていることを特徴とする請求項１〜５のいずれか１項に記載の放射線防護衣用アンダーウエア。
【請求項７】
前記係止手段が面状ファスナーであることを特徴とする請求項６に記載の放射線防護衣用アンダーウエア。
【請求項８】
放射線遮蔽能を有する放射線遮蔽材により形成された放射線防護衣と、請求項１〜７のいずれか１項に記載の放射線防護衣用アンダーウエアとの組み合わせからなる放射線防護用着用体。
【考案の詳細な説明】
【技術分野】
【０００１】
本考案は医療分野におけるＸ線撮影時の技術者及びその補助者や、原子力産業分野における原子力発電所の作業員等の放射線取扱者に対するＸ線、低エネルギーのγ線、β線などの放射線の被曝を防止するための放射線防護衣を着用する際に、該防護衣の下に着用される放射線防護衣用アンダーウエアに関する。
【背景技術】
【０００２】
放射線防護衣は、鉛、鉛化合物又はタングステン、スズからなる重金属を主材とする放射線遮蔽シート、またはその積層体の表面に、例えば合成樹脂、繊維、ゴム、又はこれらの複合体の被覆シートを被覆してなる放射線防護材の裁断片を、エプロン、コート、スカート、マントなど身体に着用可能な形態に縫製したものである（特許文献１、２等参照）。
医師や放射線撮影技師、及びその補助者などの医療従事者は、例えばＸ線撮影やＸ線蛍光透視、ラジオアイソトープ等による診断時に放射線の被曝を避けるため、鉛等の重金属からなる重い放射線防護衣を頻繁に着用する必要がある。
【０００３】
その場合、放射線防護衣を一度着用すると長時間着用していることが多く、着用している放射線防護衣の内部に汗が染み込んだり表面に付着して臭気を発することがあるため着用者に不快感を与え、さらに、規模の小さい病院では個人専用の防護衣は保有しないで複数の着用者が共用する場合が多々あって、衛生上も好ましくないという弊害があるところからその改善が望まれていた。
【０００４】
【特許文献１】実開平  １−１０２８９８号公報
【特許文献２】実開昭６３−１７２９９９号公報
【考案の開示】
【考案が解決しようとする課題】
【０００５】
本考案は放射線防護衣の着用時に生じる上記の弊害を取り除くためになされたもので、放射線防護衣と併用して着用することにより、放射線防護衣を長時間着用した場合にも汗の付着によるべとつき感や悪臭の発生を抑制し、着用者の不快感を緩和させることのできる放射線防護衣用アンダーウエア、及び放射線防護用着用体を提供することを課題とするものである。
【課題を解決するための手段】
【０００６】
本考案者等は、放射線防護衣を長時間着用した場合に汗の付着や吸収等による臭気の発生やべとつき感等、着用者に対して不快感を与える従来の放射線防護衣のもつ弊害を解消すべく鋭意検討の結果なされたもので、放射線防護衣の下（放射線防護衣の内側の着用者側）に特定物性を有する素材により縫製されたアンダーウエアを介在させることによって、従来の放射線防護衣のもつ前記の課題を解決した。すなわち、本考案は下記（１）〜（７）の構成を有する。
【０００７】
（１）放射線遮蔽能を有する放射線遮蔽材により形成された放射線防護衣の下に着用が可能な形態を有する着用体であって、該着用体が吸汗速乾性を有する素材により形成されていることを特徴とする放射線防護衣用アンダーウエア。
（２）前記素材が湿度移行性、及び放熱性の高い素材からなることを特徴とする前記（１）に記載の放射線防護衣用アンダーウエア。
（３）前記素材が抗菌性を有することを特徴とする前記（１）又は（２）に記載の放射線防護衣用アンダーウエア。
（４）前記素材が少なくとも熱伝導性の高い繊維及び抗菌性を有する繊維を含む複合撚糸により編んだ編布からなることを特徴とする前記（１）〜（３）のいずれかに記載の放射線防護衣用アンダーウエア。
【０００８】
（５）前記素材は湿度移行性が８００ｇ／ｍ２・ｈｒ以上であり、放熱性が１０Ｗ／ｍ２・℃以上であることを特徴とする前記（１）〜（４）のいずれかに記載の放射線防護衣用アンダーウエア。
（６）前記着用体の外表面の少なくとも１部分に、前記放射線防護衣の内側面との脱着が可能な係止手段が設けられていることを特徴とする前記（１）〜（５）のいずれかに記載の放射線防護衣用アンダーウエア。
（７）前記係止手段が面状ファスナーであることを特徴とする前記（６）に記載の放射線防護衣用アンダーウエア。
【０００９】
（８）放射線遮蔽能を有する放射線遮蔽材により形成された放射線防護衣と、前記（１）〜（７）のいずれかに記載の放射線防護衣用アンダーウエアとの組み合わせからなる放射線防護用着用体。
【考案の効果】
【００１０】
本考案の放射線防護衣用アンダーウエア、及び放射線防護用着用体によれば、湿度移行性が高く、放熱性の良好な吸汗速乾性及び抗菌性を有する素材により形成されているので、放射線防護衣を着用する際に、予め該防護衣の下にこれを着用しておくか、あるいは該防護衣の内側に予め脱着自在にこれを固定しておき、放射線防護衣と放射線防護衣用アンダーウエアとを重ね着することによって、該防護衣を長時間着用しても臭いの発生を防止することができ、洗濯も簡易にできるところから、清潔性が保たれ、心地よく着用ができ、また、素材がもつ吸汗速乾性のため着用中に汗によるべとつき感などの不快感を和らげることができる。
【考案を実施するための最良の形態】
【００１１】
以下、本考案を実施例によりさらに詳細に説明する。
本考案の放射線防護衣用アンダーウエアに用いる素材としては、該アンダーウエアを着用した際に着用者により吸汗速乾性を付与し得る点で、特に水分移動の程度がおよそ８００ｇ／ｍ２・ｈｒ以上であり、放熱性がおよそ１０Ｗ／ｍ２・℃以上の特性を有する、水分移動性が高くて、かつ、放熱性の良好な素材（生地）を用いることが好ましい。
【００１２】
このような素材（生地）としては、例えばクールマックス（デュポン社登録商標）、ダクロン（デュポン社登録商標）、ウイックロン（モンベル社登録商標）のような、湿度移行性が高く、放熱性の良好なポリエステル繊維などからなる編布や、天然繊維（綿、麻等）、人造セルロース繊維（ビスコースレーヨン等）などからなる親水性繊維と、ソフィスタ（クラレ社登録商標）等の熱伝導性の高い糸を含む二種類以上の糸からなる複合撚糸で編まれた編布（生地）、ペアクール（旭化成社登録商標）等の吸放熱性に優れ、吸汗速乾性で接触冷感性を有する素材が用いられる。
【００１３】
また、前記素材には、例えば編布（生地）を構成する繊維中に予め抗菌性物質を練り込んでおけば、着用後の放射線防護衣が悪臭を発し難くなるのでより好ましい。
本考案の放射線防護衣用アンダーウエアは、その生地として前記のような吸汗速乾性の編布や繊維を使用した点に特徴を有するもので、放射線防護衣の下（着用者側）に着用可能な、下記図面に例示するような種々の形態の着用体に縫製することによって製造される。
【００１４】
図１、及び２は本考案に係る放射線防護衣用アンダーウエアの一実施例を例示するもので、図１はその正面から見た概略図であり、図２は背面から見た概略図である。本例の放射線防護衣用アンダーウエア１は前記の吸汗速乾性を有する素材を用いて、前開きのベスト型に縫製された着用体で、それぞれに着用者の首を通す襟ぐり部４及び腕を通す袖ぐり部５、５が設けられた前身頃２と後身頃３とを、それぞれの側腹部６、６、及び肩部９、９を縫い合わせることによって前身頃２と後身頃３とを側腹部６、６、及び肩部９、９においてそれぞれ連通させて一体化し、身体に装着可能なベスト状に縫製してなる。
【００１５】
前身頃２は、そのほぼ中央の着丈方向の開閉部７を中心に左前身頃２Ｌと右前身頃２Ｒとに分離されていて、例えば開閉部７における左前身頃２Ｌの端部の裏側と右前身頃２Ｒの端部の表側にはそれぞれ対面する位置に一対の面ファスナーなどからなる係止手段８、９、１０が設けられていて、左身頃２Ｌと右身頃２Ｒとはその対面する側の両端が開閉部７の近傍で一部重なった状態で係止手段８、９、１０により開閉（脱着）自在に係止されている。なお、係止手段８、９、１０としては面ファスナーの外に釦、フック、スライドファスナーなどを用いても良いことはいうまでもない。
【００１６】
放射線防護衣用アンダーウエア１の着用に際しては、通常のベストと同様に前身頃２の開閉部７を開いて内側から左右両襟ぐり部５、５に腕を通して必要に応じて前身頃の開閉部７を閉じて係止手段８、９、１０により左前身頃２Ｌと右前身頃２Ｒとを固定して着用した後、その上から放射線防護衣を着用して放射線取り扱い作業を行う。
【００１７】
図３は本考案に係る他の実施例の放射線防護衣用アンダーウエアを正面から見た概略図である。本例の放射線防護衣用アンダーウエア１１は図１、２に例示のものとは異なり、前面（前身頃）にも開閉部を有さず、前面が塞がっている放射線防護衣用アンダーウエアの例であり、前記の吸汗速乾性を有する素材を用いてランニングシャツ状の形態に縫製してなる。
着用の際に着用者の首を通す袖ぐり部１４、及び腕を通す襟ぐり部１５、１５が設けられた前身頃１２と後身頃１３とを、それぞれの側腹部１６、１６の部分、及び肩部１９、１９の部分を縫い合わせることによって、前身頃１２と後身頃１３とを側腹部１６、１６，及び肩部１９、１９においてそれぞれ連通させて一体化し、身体に装着可能なランニングシャツ状の形態に縫製してなる。
【００１８】
なお、本例では前身頃１２と後身頃１３の左右における着用者の腕を通す部分にそれぞれ襟ぐり部１５、１５を設けてランニングシャツ状の形態（ノースリーブ）としたが、左右両襟ぐり部１５、１５にはそれぞれ襟ぐり部１５、１５に連通する半袖、もしくは長袖部を一体に設けることによってＴシャツ状、もしくは長袖シャツ状の形態に縫製してもよい。
【００１９】
図４は、本考案に係るさらに別の実施例の放射線防護衣用アンダーウエアを正面から見た概略図である。本例の放射線防護衣用アンダーウエア２１は、その表面（表側面）の任意の場所に、例えばエプロン状の形態の放射線防護衣との脱着が可能な係止手段が設けられた着用体の例であり、前記の吸汗速乾性を有する素材を裁断して、少なくとも着用者の胸部、及び腹部を覆い、着用者の両腕の部分に対応する位置に袖ぐり部２５、２５を設け、着用者の首部分に対応する位置に襟ぐり部２４を設けたエプロン状の前身頃２２と、前身頃２２と一体に形成され、その両肩部２９、２９からそれぞれ延びる幅広のショルダーストラップ２３、２３（後身頃に相当）からなる。
【００２０】
幅広のショルダーストラップ２３、２３（後身頃に相当）の表側表面における先端部、及びほぼ中央部にはそれぞれ面ファスナー等からなる係止手段２７、２７及び２８、２８が、また前身頃２２の表側の表面における例えば左右の上下端にそれぞれ面ファスナー等からなる係止手段３１、３１、及び３２、３２が設けられており、使用に際しては、これら係止手段２７、２７、２８、２８、３１、３１、３２、３２と、所望の放射線防護衣の内側に設けられている各係止手段２７〜３２に対応する位置に設けられている放射線防護衣側の係止手段とにより放射線防護衣用アンダーウエアを予め放射線防護衣に固定しておき、使用に供される。
【００２１】
図５は着用前の放射線防護衣に本例の放射線防護衣用アンダーウエアの一部分を固定した状態を示す斜視図である。本例の放射線防護衣用アンダーウエア２１とともに使用される放射線防護衣２１０はエプロンタイプのものであり、例えば図５に示すように着用者の胸部、腹部及び膝部を覆う前身頃２２０と、左右の肩部２９０と後身頃に相当する背当て部３００とを縫合もしくは一体に形成して連接させるとともに、着用時に着用者の腕の挿入が可能な袖ぐり２５０が左右に設けられている。
【００２２】
後身頃に相当する左右の背当て部３００の先端部分は肩当部３００から延びる幅の狭いベルト状をなしていて、その両端部分の表裏面には一対の面ファスナー３３０、３３０が取りつけられており、着用時には着用者の両腕を左右の袖ぐり２５０、２５０から通した後、両方の背当て部３００、３００を着用者の背部で交差させて背部に密着させ、両背当て部３００、３００の先端の面ファスナー３３０、３３０により後身頃に相当する左右の背当て部３００、３００を着用者に固定する。
また、前身頃２２０の胸部、及び腹部の裏側（内側面）における左右両端部近傍に面ファスナー３１０、３１０、３２０、３２０が設けられ、また、左右両背当部３００、３００の裏面（内側面）における任意の位置には面ファスナー２７０、２７０、２８０、２８０がそれぞれ設けられている。
【００２３】
本例の放射線防護衣用アンダーウエア２１は、放射線防護衣２１０とセットとして組み合わせた放射線防護衣用の着用体として放射線作業従事者によって着用されることを想定したもので、着用に際しては予め放射線防護衣２１０の裏側（内側面）に固定しておいて、放射線防護衣２１０と共に重ね着する形で着用される。
すなわち、放射線防護衣用アンダーウエア２１を着用する前に、予め放射線防護衣２１０の裏側（内側面で、メンファスナー２７０、２７０、２８０，２８０、３１０、３１０、３２０、３２０が取りつけられている側）と本例の放射線防護衣用アンダーウエア２１の表側（表側面で、面ファスナー２７、２７、２８、２８、３１、３１、３２、３２が取りつけられている側）とを重ねあわせ、放射線防護衣用アンダーウエア２１の表側（表面側）の各面ファスナーと、放射線防護衣２１０の裏面（内側面）の各メンファスナーとを係止させて放射線防護衣２１０の裏側（内側面）に放射線防護衣用アンダーウエア２１を固定した後、放射線防護衣２１０と放射線防護衣用アンダーウエア２１とを重ね着する。
【００２４】
本例の放射線防護衣用アンダーウエア２１の場合も、当然に、これを予め放射線防護衣２１０の裏面（内側面）に固定しておくのではなく、先に放射線防護衣用アンダーウエア２１を着用し、その上に放射線防護衣２１０を着用してもよい。  
【００２５】
なお、放射線防護衣２１０の裏面（内側面）に取り付けられる面ファスナー２７０、２７０、２８０、２８０、３１０、３１０、３２０、３２０のそれぞれの取り付け位置は、内側（裏側面）に放射線防護衣用アンダーウエア２１を重ねた時、各面ファスナー２７、２８、３１、３２が取りつけられている位置とほぼ重なる位置に予め取り付けてられる。
放射線防護衣用アンダーウエア２１の表面（表側面）の各面ファスナー２７、２７、２８、２８、３１、３１、３２、３２、及び放射線防護衣２１０の内側に取りつけられる面ファスナー２７０、２７０、２８０、２８０、３１０、３１０、３２０、３２０の代わりに、釦、スライドファスナーなどの係止手段を用いても良い。
【００２６】
図４には、例えば図５に例示のエプロンタイプの放射線防護衣２１０のような放射線防護衣に対して使用される放射線防護衣用アンダーウエアについて例示したが、本考案の放射線防護衣用アンダーウエアは、該アンダーウエアの上に着用される放射線防護衣の裏面（内側面）と着用者の体表面との間に介在して、着用時に該放射線防護衣の裏面（内側面）と着用者の体表面とが重なる面積ができるだけ大きくなるような形状のものであれば特にその形状やデザインに制限はない。
同様に本考案の放射線防護衣用アンダーウエアと組み合わせてセットで着用される放射線防護衣も、前身頃と後身頃とを連接一体に形成してなり、着用者の前面のみを覆うようにしたエプロン、コート、ベスト、マント等の形状のものの外、着用者の前面のみを覆うエプロン形状のものや、主として着用者の腰、及び下肢の上部を覆うスカート形状のもの等、そのデザイン上に制限はない。
【図面の簡単な説明】
【００２７】
【図１】本考案の放射線防護衣用アンダーウエアの一実施例を例示す正面側（前身頃）概略図である。
【図２】図１に例示の放射線防護衣用アンダーウエアの背面側（後身頃）の概略図である。
【図３】本考案の放射線防護衣用アンダーウエアの別の実施例を例示する正面側（前身頃）概略図である。
【図４】本考案の放射線防護衣用アンダーウエアのさらに別の実施例を例示する正面側（前身頃）概略図である。
【図５】図４に例示の放射線防護衣用アンダーウエアを放射線防護衣に部分的に取り付けた状態を示す斜視図である。
【符号の説明】
【００２８】
１、１１、２１            放射線防護衣用アンダーウエア
２、１２、２２            前身頃
３、１３                  後身頃
２３                      ショルダーストラップ（後身頃）
３００                    背当部
４、１４、２４、２４０    襟ぐり部
５、１５、２５、２５０    袖ぐり部
６、１６                  側腹部
７                        開閉部
８、９、１０、２７、２８、３１、３２、２７０、２８０、３１０、３２０、３３０                      面ファスナー
【図１】
0003144579.tif 000003
【図２】
0003144579.tif 000004
【図３】
0003144579.tif 000005
【図４】
0003144579.tif 000006
【図５】
0003144579.tif 000007